(57)【要約】      （修正有）【課題】はね上げ眼鏡枠にデザイン性を損なう部品をなくし、シンプルで耐久性の高いはね上げ機構を有し、かつ上げ下げ位置に固定させることを可能とするはね上げ式眼鏡枠を提供する。【解決手段】本体眼鏡枠１の山部に回転軸６が挿入される連結部３を設け、両サイドに連結用のネジ穴がある。レンズが装着される前掛眼鏡枠２の山部５に回転軸６が設けられている。本体眼鏡枠１に前掛眼鏡枠２を挿入の際、回転軸６の両側に耐摩耗性に優れた樹脂製ワッシャー７を取り付け、ネジの締付力で回転動を可能にする。なお、樹脂製ワッシャーと弾力性のある構造を有するコの字形状の本体山部をネジによる締結で前掛枠のはね上げ下げ位置での静止が可能である。【選択図】図２
0003196833.tif 000002
【実用新案登録請求の範囲】
【請求項１】
本体眼鏡枠と、眼鏡用レンズが装着された前掛眼鏡枠をブリッジ部分において、はね上げ機構を持たせて連結させたことを特徴とする眼鏡枠。
【請求項２】
本体眼鏡枠と、眼鏡用レンズが装着された前掛眼鏡枠をブリッジ部分において、はね上げ機構を持たせて連結させたことを特徴とする眼鏡枠において、連結部分に耐疲労性に優れ、しかも弾性回復性の有る樹脂製ワッシャーと弾力性の高い弾力性のある構造を有するコの字形状の本体山部をネジによる締付力で回転動を可能にし、前掛眼鏡枠を上げた位置、及び下げた位置に固定させることができることを特徴とする眼鏡枠。
【考案の詳細な説明】
【技術分野】
【０００１】
本考案は、シンプルで耐久性の高いはね上げ機構を有する、はね上げ式眼鏡枠に関するものである。
【背景技術】
【０００２】
従来のはね上げ式眼鏡枠においては、回転させるために、さまざまな部品を取り付ける方法しか取れなかった。そのためフレームの外観を損ないデザインも制限されてきた。
【０００３】
また、ブリッジ部分で回転させる従来のはね上げ式フレームは、回転軸に樹脂パイプを巻いたりし、軸に対し回転する滑りを止めようといろいろな工夫を凝らして、前掛眼鏡枠を固定させる方法をとっていた。
【０００４】
そのため磨耗や劣化により回転軸そのものや回転軸を支える部品に負担がかかり、ある程
度回転させると前掛眼鏡枠を上に上げた状態で静止しにくくなるという欠点があった。
【先行技術文献】
【特許文献】
【０００５】
【特許文献１】特開2000-75248号公報
【０００６】
【特許文献２】特開平9-68677号公報
【考案の概要】
【考案が解決しようとする課題】
【０００７】
解決しようとする問題点は、さまざまな部品を取り付けることで、眼鏡枠としてのデザイン性を損ない、複雑な構造になることで耐久性に欠ける欠点があった。
【課題を解決するための手段】
【０００８】
本考案は、前掛眼鏡枠2の回転部にあるネジ穴8の両端にそれぞれ樹脂製ワッシャー7を設け、本体枠1の連結部3とネジ9による締付けで前掛眼鏡枠2の回転動を可能にしたこと、および上げ下げ位置に固定可能にしたことを特徴とする。
【考案の効果】
【０００９】
本考案のはね上げ式眼鏡枠は、樹脂パイプを用いず、デザイン上の外観を損なうことなく、シンプルで耐久性の高いはね上げ機構を実現したという利点がある。
【図面の簡単な説明】
【００１０】
【図１】本考案の連結前の本体眼鏡枠と前掛眼鏡枠の正面図・上面図
【図２】本考案の連結後の本体眼鏡枠と前掛眼鏡枠の正面図・上面図
【図３】本考案の本体眼鏡枠および前掛眼鏡枠の連結部の上面図、回転軸の拡大図、樹脂ワッシャーの拡大図・連結後の本体眼鏡枠と前掛眼鏡枠の組図
【考案を実施するための形態】
【００１１】
シンプルで耐久性の高いはね上げ機構を実現するという目的を、最小の部品点数で、デザイン性を損なわずに実現した。
【００１２】
本体眼鏡枠1の山部に回転軸6が挿入される連結部3を設け、両サイドに連結用のネジ穴8がある。レンズが装着される前掛眼鏡枠2の山部5に回転軸6が設けられている。
【００１３】
本体眼鏡枠1に前掛眼鏡枠2を挿入の際、回転軸6の両側に耐摩耗性に優れた樹脂製ワッシャー7を取り付け、ネジの締付力で回転動を可能にする。なお、樹脂製ワッシャーと弾力性のある構造を有するコの字形状の本体山部をネジによる締結で前掛枠のはね上げ下げ位置での静止が可能である。
【００１４】
本体眼鏡枠の前掛眼鏡枠を5万回の上げ下げ耐久テストを行った結果、本眼鏡枠には何ら異常は発見されず、一般の使用に耐えうる十分な耐久性があるものと判断された。
【実施例】
【００１５】
図1は、本考案眼鏡枠の前掛眼鏡枠を本体枠に固定する前の正面図および上面図であって、１は本体眼鏡枠、2は前掛眼鏡枠、3は連結部、4は本体渡、5は前掛眼鏡枠山、6は回転軸である。
【００１６】
図2は、本考案眼鏡枠の前掛眼鏡枠と本体眼鏡枠を組んだ際の正面図および上面図である。１〜6は図1と同様である。
【００１７】
図3は、本体眼鏡枠の連結部3および前掛眼鏡枠の山部5の上面図、回転軸6の拡大図、樹脂製ワッシャー8の拡大図であり、前掛眼鏡枠および本体眼鏡枠を組んだ際の山部を拡大した組図、本眼鏡枠の側面図である。
【産業上の利用可能性】
【００１８】
前掛眼鏡枠に老眼用のレンズを入れるだけでなく、サングラスレンズを入れることで、まぶしい光をさえぎり、快適なドライブを楽しみ、曇りや雨天の天候時やトンネル走行時は前掛眼鏡枠をはね上げることで安全なドライブを実現する用途にも適用できる。
【符号の説明】
【００１９】
1  本体眼鏡枠
2  前掛眼鏡枠
3  連結部
4  本体渡
5  前掛眼鏡枠山
6  回転軸
7  樹脂製ワッシャー
8  連結ネジ穴
9  連結ネジ 
【図１】
0003196833.tif 000003
【図２】
0003196833.tif 000004
【図３】
0003196833.tif 000005
【手続補正書】
【提出日】平成27年2月2日(2015.2.2)
【手続補正１】
【補正対象書類名】実用新案登録請求の範囲
【補正対象項目名】全文
【補正方法】変更
【補正の内容】
【実用新案登録請求の範囲】
【請求項１】
本体眼鏡枠と、眼鏡用レンズが装着された前掛眼鏡枠とから成り、前記本体眼鏡枠の本体渡と前掛眼鏡枠の山部とが、ネジを介して回転可能に連結された眼鏡枠であって、
前記本体渡が、互いに対向する一対のサイド部にネジ穴を設けたコの字形状の連結部を備える一方、
前記山部は、回転軸穴を有する回転軸受を備え、
前記連結部の一対のサイド部の間に、樹脂ワッシャーを介して前記回転軸受が挿入された状態で、前記ネジが前記回転軸穴および樹脂ワッシャーに挿入され、ネジ穴に螺合されており、
前記ネジによる締付力で前記本体眼鏡枠に対して前記前掛眼鏡枠を上げた状態、および下げた状態に固定させることができることを特徴とした眼鏡枠。
【手続補正２】
【補正対象書類名】明細書
【補正対象項目名】全文
【補正方法】変更
【補正の内容】
【考案の詳細な説明】
【技術分野】
【０００１】
本考案は、シンプルで耐久性の高いはね上げ機構を有する、はね上げ式眼鏡枠に関するものである。
【背景技術】
【０００２】
従来のはね上げ式眼鏡枠においては、回転させるために、さまざまな部品を取り付ける方法しか取れなかった。そのためフレームの外観を損ないデザインも制限されてきた。
【０００３】
また、ブリッジ部分で回転させる従来のはね上げ式フレームは、回転軸に樹脂パイプを巻いたりし、軸に対し回転する滑りを止めようといろいろな工夫を凝らして、前掛眼鏡枠を固定させる方法をとっていた。
【０００４】
そのため磨耗や劣化により回転軸そのものや回転軸を支える部品に負担がかかり、ある程度回転させると前掛眼鏡枠を上に上げた状態で静止しにくくなるという欠点があった。
【先行技術文献】
【特許文献】
【０００５】
【特許文献１】特開2000-75248号公報
【０００６】
【特許文献２】特開平9-68677号公報
【考案の概要】
【考案が解決しようとする課題】
【０００７】
解決しようとする問題点は、さまざまな部品を取り付けることで、眼鏡枠としてのデザイン性を損ない、複雑な構造になることで耐久性に欠ける欠点があった。
【課題を解決するための手段】
【０００８】
本考案は、前掛眼鏡枠2の回転部にあるネジ穴8の両端にそれぞれ樹脂ワッシャー7を設け、本体枠1の連結部3とネジ9による締付けで前掛眼鏡枠2の回転動を可能にしたこと、および上げ下げ位置に固定可能にしたことを特徴とする。
【考案の効果】
【０００９】
本考案のはね上げ式眼鏡枠は、樹脂パイプを用いず、デザイン上の外観を損なうことなく、シンプルで耐久性の高いはね上げ機構を実現したという利点がある。
【図面の簡単な説明】
【００１０】
【図１】本考案の連結前の本体眼鏡枠と前掛眼鏡枠の正面図・上面図
【図２】本考案の連結後の本体眼鏡枠と前掛眼鏡枠の正面図・上面図
【図３】本考案の本体眼鏡枠および前掛眼鏡枠の連結部の上面図、回転軸受の拡大図、樹脂ワッシャーの拡大図・連結後の本体眼鏡枠と前掛眼鏡枠の組図
【考案を実施するための形態】
【００１１】
シンプルで耐久性の高いはね上げ機構を実現するという目的を、最小の部品点数で、デザイン性を損なわずに実現した。
【００１２】
本体眼鏡枠1の本体渡4に、回転軸受6が挿入される連結部3を設け、この連結部3の互いに対向する一対のサイド部31に連結用のネジ穴8がある。レンズが装着される前掛眼鏡枠2の山部5に、回転軸穴61を有する回転軸受6が設けられている。
【００１３】
本体眼鏡枠1に前掛眼鏡枠2を挿入の際、回転軸受6の両側に耐摩耗性に優れた樹脂ワッシャー7を取り付け、ネジの締付力で回転動を可能にする。なお、樹脂ワッシャーと弾力性のある構造を有するコの字形状の連結部3をネジによる締結で前掛枠のはね上げ下げ位置での静止が可能である。
【００１４】
本体眼鏡枠に連結した前掛眼鏡枠を5万回の上げ下げ耐久テストを行った結果、本眼鏡枠には何ら異常は発見されず、一般の使用に耐えうる十分な耐久性があるものと判断された。
【実施例】
【００１５】
図1は、本考案眼鏡枠の前掛眼鏡枠を本体枠に固定する前の正面図および上面図であって、１は本体眼鏡枠、2は前掛眼鏡枠、3は連結部、4は本体渡、5は前掛眼鏡枠山、6は回転軸受である。
【００１６】
図2は、本考案眼鏡枠の前掛眼鏡枠と本体眼鏡枠を組んだ際の正面図および上面図である。１〜6は図1と同様である。
【００１７】
図3は、本体眼鏡枠の連結部3および前掛眼鏡枠の山部5の上面図、回転軸受6の拡大図、樹脂ワッシャー7の拡大図であり、前掛眼鏡枠および本体眼鏡枠を組んだ際の山部を拡大した組図、本眼鏡枠の側面図である。
【産業上の利用可能性】
【００１８】
前掛眼鏡枠に老眼用のレンズを入れるだけでなく、サングラスレンズを入れることで、まぶしい光をさえぎり、快適なドライブを楽しみ、曇りや雨天の天候時やトンネル走行時は前掛眼鏡枠をはね上げることで安全なドライブを実現する用途にも適用できる。
【符号の説明】
【００１９】
1 本体眼鏡枠
2 前掛眼鏡枠
3 連結部
4 本体渡
5 前掛眼鏡枠山
6 回転軸受
7 樹脂ワッシャー
8 連結ネジ穴
9 連結ネジ
31 サイド部
61 回転軸穴
【手続補正３】
【補正対象書類名】図面
【補正対象項目名】図３
【補正方法】変更
【補正の内容】
【図３】
0003196833.tif 000006